(57)【要約】【課題】  本発明はデータエントリー時における各種原稿の呈示において、オペレータによる原稿送りの負荷軽減を図るとともに、原稿呈示位置をオペレータの注視点の近傍に置くことにより、眼性疲労を抑制できる原稿自動送り装置を提供する。【解決手段】  ディスプレイとキーボードを備えたデータエントリー装置により、枚葉原稿に記載された情報の入力に使用する書見用の原稿自動送り装置において、前記原稿を蓄積するホッパー部と、ホッパー部より原稿を一枚ずつ取り出す給紙部と、給紙部によって取り出された原稿をディスプレイとキーボード間の所定の位置に搬送させ、原稿を自立させて呈示させるための搬送部と呈示済みの原稿を取り出す排紙部と、排紙部によって取り出された原稿を蓄積するスタッカー部と、搬送部、給紙部および排紙部を制御する制御部を設けたことを特徴とする原稿自動送り装置を提供することにより、上記課題を解決する。【選択図】図３
2013009728.tif 000002
【特許請求の範囲】
【請求項１】
ディスプレイとキーボードを備えたデータエントリー装置により、枚葉原稿に記載された情報の入力に使用する書見用の原稿自動送り装置において、
前記原稿を蓄積するホッパー部と、
ホッパー部より原稿を一枚ずつ取り出す給紙部と、
給紙部によって取り出された原稿をディスプレイとキーボード間の所定の位置に搬送させ、原稿を自立させて呈示させるための搬送部と、
呈示済みの原稿を取り出す排紙部と、
排紙部によって取り出された原稿を蓄積するスタッカー部と、
搬送部、給紙部および排紙部を制御する制御部を設けたことを特徴とする原稿自動送り装置。
【請求項２】
前記搬送部は原稿を自立させて搬送するためのクランプを備えていることを特徴とする請求項１に記載の原稿自動送り装置。
【発明の詳細な説明】
【技術分野】
【０００１】
本発明は、申込書やエントリーカードに代表される各種原稿を見ながらキーボードを介して手作業によるデータ入力作業時に使用する書見台の改良に関し、特に原稿を一葉ずつ自動的に送る原稿自動送り装置に関する。
【背景技術】
【０００２】
近年、申込書やエントリーカードに代表される各種原稿（以下、特に断りのない限り単に原稿という）に記入された内容について、パソコンなどを利用したデータエントリー装置にてデータを入力する場合、ＯＣＲ（Ｏｐｔｉｃａｌ  Ｃｈａｒａｃｔｅｒ  Ｒｅａｄｅｒ）装置やソフトウェアを利用した自動認識により文字データを入力する方法が多用されている。しかし、自動認識できない文字や記入位置の乱れなどにより、読み取りエラーとなる原稿が少なからず存在する。また、ＯＣＲ装置等で原稿を読み取らせる場合、読み取り位置や文字種などの情報をあらかじめ登録する作業が必要となるため、ある程度まとまった量の原稿がないと、時間的にもコスト的にも手作業による入力のほうが有利な場合がある。これらの要因で、現在でもオペレータの手作業による入力でのデータエントリーは必要不可欠となっている。
【０００３】
通常、文書の手作業による入力によるデータエントリーにおいては、パソコンなどを利用したデータエントリー装置のディスプレイの脇に原稿を載せる書見台を置き、一枚ごと原稿をめくりながらデータ入力を行うのが一般的である。従来の改良された書見台としては、データエントリー装置のキーボードとディスプレイの間に原稿を呈示することにより、原稿の視認性の向上を図るようにさせる装置(特許文献１参照)が知られている。また、書見台上に配列された原稿の各ページを自動送りすることによりオペレータの負荷を軽減する装置(特許文献２参照)が知られている。
【先行技術文献】
【特許文献】
【０００４】
【特許文献１】実開平５−４３２２０公報
【特許文献２】特開平７−２５７０６９公報
【発明の概要】
【発明が解決しようとする課題】
【０００５】
しかしながら、例えば、特許文献１に開示の装置で、データエントリー装置のキーボードとディスプレイの間に原稿を呈示する場合、原稿の紙面を表示する窓が縦方向に狭い横長の形状になるため、視認可能な範囲が１行〜数行に制限される。このため、視認範囲が限定され原稿に縦書きの記入部分がある場合では実用上使用できない。また、全て横書きの原稿であったとしても、原稿１枚分のデータを入力するためには、視認可能な範囲の文字データの入力が完了する度に次の範囲を表示させるための行送りの操作が必要となり、オペレータに負荷がかかるという課題がある。
また、例えば、特許文献２に開示の原稿の自動送り装置については、縦置き横置きを問わず広いスペースが必要とされる。このため、書見台上に配列された原稿自動送り装置では、設置場所をデータエントリー装置のディスプレイの脇に取ることが多いがこれではオペレータの視線の動きが大きくなり視認性が悪くなってしまう。また、キーボードとディスプレイの間に装置を横置きにし、原稿を呈示して視認性を高めようとしても、現在では薄型ディスプレイの出現により奥行き方向のスペースが狭くなる傾向にあるため、設置領域の面で実現が困難という課題がある。
特に、申込書やエントリーカードに代表される原稿は比較的小さいサイズで、かつ、ある程度の厚さと腰のある紙が用いられることが多い。従って、薄手の大サイズ原稿などの紙送りを考慮した従来の原稿送り機構に対して厚さと腰のあるカード状の用紙を適用すると、紙質による原稿送りの不良の発生や小径のローラー搬送による原稿の反りやクセが残る場合がある。
上記のような点に鑑み、本発明は、小さいサイズで、厚さと腰のある用紙を原稿とするデータエントリー時の原稿の呈示において、オペレータによる原稿送りの負荷を軽減し作業の効率化を図るとともに、原稿呈示の位置をディスプレイに対するオペレータの注視点の近傍に置くことにより、視線の移動距離を少なくし、眼性疲労を抑制できる原稿自動送り装置の提供を目的とする。
【課題を解決するための手段】
【０００６】
上記課題を解決するための、本発明の第一の態様は、ディスプレイとキーボードを備えたデータエントリー装置により、枚葉原稿に記載された情報の入力に使用する書見用の原稿自動送り装置において、前記原稿を蓄積するホッパー部と、ホッパー部より原稿を一枚ずつ取り出す給紙部と、給紙部によって取り出された原稿をディスプレイとキーボード間の所定の位置に搬送させ、原稿を自立させて呈示させるための搬送部と、呈示済みの原稿を取り出す排紙部と、排紙部によって取り出された原稿を蓄積するスタッカー部と、搬送部、給紙部および排紙部を制御する制御部を設けたことを特徴とするものである。
本発明の第一の態様にかかる原稿自動送り装置によれば、申込書やエントリーカードなどの原稿が持つ、小さいサイズで、厚さと腰のある紙質という特徴に注目し、原稿を自立させて搬送するようにしている。このため、原稿を自立させて呈示させる呈示装置上にある原稿は当該原稿を保持している部分を除き全て露出した状態となり、オペレータは殆ど頭を動かすことなく原稿の視認が可能となる。
本発明の第二の態様は、前記搬送部は原稿を自立させるためにクランプを備えていることを特徴とするものである。クランプは原稿の自立を補助するとともに、エントリーするデータが記載されている部位に干渉しないような位置に設定することにより原稿の視認性を高めることを可能とする。
【発明の効果】
【０００７】
本発明により、オペレータが視認可能な原稿の範囲は、当該原稿を保持している部分を除きほぼ一枚分の全領域となり、従来のキーボードとディスプレイの間に原稿を呈示する装置の視認可能な範囲である１行〜数行に比べて格段に広くなる。これにより一枚の原稿内における表示範囲の移動を指示するための行送りの操作をする必要がなくなり、オペレータの操作負荷を軽減できる。
原稿を自立させオペレータと正対して呈示させるため、呈示装置が小型で奥行きが浅い構造となり、設置場所の制限が少なくなる。これにより呈示装置をキーボードとディスプレイの間に適切に設置することが可能となる。また、キーボードとディスプレイ間の所定の位置に原稿を搬送させて呈示することにより、データ入力時のオペレータの視線の移動距離が少なくなり、作業の効率化が図れるとともに眼性疲労を抑制できる。
【図面の簡単な説明】
【０００８】
【図１】本発明の全体の構成を示す説明図である。
【図２】本発明の動作の流れを示すフローチャートである。
【図３】本発明の装置の具体的な配置例を示す図である。
【図４】本発明のこれから呈示する原稿を呈示装置に移載する部分の説明図である。
【図５】本発明の呈示済み原稿を呈示装置から排出する部分の説明図である。
【発明を実施するための形態】
【０００９】
以下に、本発明の構成について図面を参照してさらに詳細に説明する。
図１は、本発明における原稿自動送り装置１００の基本的な構成を示すものである。図１において、１はホッパー部を、２は給紙部を、３は搬送部を、４は排紙部を、５はスタッカー部を、６は制御部を示す。ホッパー部１はこれからデータエントリーされる原稿を蓄積する部分で、ここから原稿が一枚ずつ給紙部２によって呈示装置３１に移載される、搬送部３は呈示装置３１と搬送路３２からなる。呈示装置３１は搬送路３２の上に載っており、前記原稿の移載により所定の呈示位置に移動する。その後オペレータの紙送りスイッチ７の指示により、呈示装置３１は排紙部４の位置に移動し、原稿は排紙部４によってスタッカー部５に排出されるとともに、呈示装置３１は給紙部２に戻り、次の原稿がホッパーから移載されると再び呈示位置に移動する。
図２は、本発明における原稿自動送り装置の基本的な動作の流れを示すフローチャートである。動作の指示は紙送りスイッチ７の押下による紙送り指示（Ｓ１０）によってなされる。紙送り指示がなされるとホッパー部１にこれから呈示する原稿８０が残っているかどうかが評価する（Ｓ２０）。まだ原稿８０がある場合は、呈示装置３１を排紙部４の位置に移動（Ｓ３０）して呈示装置３１上にある呈示済の原稿８１をスタッカー部５に排出する（Ｓ４０）。次に呈示装置を給紙部２の位置に移動して（Ｓ５０）新たに呈示する原稿８１をホッパー部１から呈示装置３１に載せた後（Ｓ６０）、呈示装置３１を呈示位置に移動させて（Ｓ７０）次の紙送り指示を待つ（Ｓ１０）。本装置はこの動作をホッパー部１の原稿８０が無くなるまで繰り返す。紙送り指示がなされたときホッパー部１に原稿８０が残っていない場合は、呈示装置３１を排紙部４の位置に移動（Ｓ８０）して現在呈示装置３１上にある呈示済原稿８１をスタッカー部５に排出（Ｓ９０）して処理を終える。
図３は、本発明における原稿自動送り装置１００の典型的な配置例である。データエントリー装置のディスプレイ９１とキーボード９２の間に当該装置を配置するもので、データエントリー装置の一方の側に本装置のホッパー部１と給紙部２を置き、もう一方の側に排紙部４とスタッカー部５を向かい合わせになる向きに配置する。これらの間を搬送部３で結ぶが、このとき、先に述べたように搬送部３をデータエントリー装置のディスプレイ９１とキーボード９２で挟むように配置するのが好適である。また、このとき呈示装置３１の上の原稿８１はオペレータの正面またはオペレータが事前に設定した位置に移動する。制御装置６は好ましくは紙送りスイッチ７と距離的に大きく離れることが無いよう、給紙部２または排紙部４の近傍に配置する。紙送りスイッチ７はキーボード上に貼り付けられる構造としてもよい。
原稿８１は呈示装置３１上に固定され、自立して搬送される。この原稿を保持するために専用のクランプ３１１にて把持する構造を呈示装置３１に設けてもよい。クランプの形状は原稿の自立を補助する機能を備えていてもよい。クランプはエントリーするデータが記載されている部位に干渉しないような位置に設定するのが好適である。
図４は本発明におけるホッパー部１と給紙部２の構造と搬送部３への移載を説明するものである。これから呈示する原稿８０は一束にまとめられオペレータによりホッパー１内に置かれる。この後、呈示装置３１が給紙部２の位置に来る度に、給紙部２はホッパー１に蓄積された原稿８０から一枚を取り出し呈示装置３１の上に移載する。この原稿が搬送路３２の上を予め設定された位置まで移動し、オペレータに呈示される。オペレータはこの原稿８１の内容をデータ入力した後、紙送りスイッチ７により紙送り指示を行う。
図５は本発明における排紙部４とスタッカー部５の構造と搬送部３からの移載を説明するものである。オペレータから前記の紙送り指示を受けた場合、呈示装置３１は搬送路３２の上を排紙部４の位置まで移動する。排紙部４は呈示装置３１上の原稿８１を取り出し、スタッカー部５内に蓄積する。その後、呈示装置３１は搬送路３２の上を給紙部２の位置まで移動する。スタッカー部５に蓄積された既に呈示済みの原稿８２は、オペレータにより適宜取り出される。
本発明の取り扱い対象となる原稿は、郵便はがきまたはそれ以下の大きさが好適である。この程度の大きさなら原稿の自立に際し、紙質に影響されることは少ない。但し、ディスプレイとキーボードの間の距離が開いている場合など、原稿がデータ入力の邪魔にならず、原稿が自立できる紙質であるかクランプによる保持があれば、特に原稿の大きさを制限するものではない。
【符号の説明】
【００１０】
１  ホッパー部
２  給紙部
３  搬送部
３１  呈示装置
３１１  クランプ
３２  搬送路
４  排紙部
５  スタッカー部
６  制御部
７  紙送りスイッチ
８０  これから呈示する原稿
８１  呈示中の原稿
８２  既に呈示済みの原稿
９１  データエントリー装置のディスプレイ
９２  データエントリー装置のキーボード
１００  原稿自動送り装置
【図１】
2013009728.tif 000003
【図２】
2013009728.tif 000004
【図３】
2013009728.tif 000005
【図４】
2013009728.tif 000006
【図５】
2013009728.tif 000007